(57)【要約】      （修正有）【課題】ファンを簡単にスイッチ操作できるファン付き衣服の提供。【解決手段】所定の位置に取付孔４０を有する上衣３と、取付孔に着脱自在に装着され、上衣内に外気を送り込むファン５１、５２と、ファンに電力を供給するバッテリと、上衣の胸部に取り付けられ、バッテリからファンへの電力の供給量を調節するスイッチ９と、を具備するファン付き衣服であって、スイッチが所定の時間継続して押下されると、バッテリからファンへの電力供給の開始及び停止が切り替わる。【選択図】図１
0003224438.tif 000002
【実用新案登録請求の範囲】
【請求項１】
所定の位置に取付孔を有する上衣と、
前記取付孔に着脱自在に装着され、前記上衣内に外気を送り込むファンと、
前記ファンに電力を供給するバッテリと、
前記上衣の胸部に取り付けられ、前記バッテリから前記ファンへの電力の供給量を調節するスイッチと、
を具備することを特徴とするファン付き衣服。
【請求項２】
前記スイッチが所定の時間継続して押下されると、前記バッテリから前記ファンへの電力供給の開始及び停止が切り替わること、
を特徴とする請求項１に記載のファン付き衣服。
【請求項３】
前記バッテリから前記ファンへの電力の供給中に前記スイッチが前記所定の時間より短く押下されると、前記ファンへの電力の供給量が段階的に変化すること、
を特徴とする請求項２に記載のファン付き衣服。
【請求項４】
前記スイッチは、前記バッテリから前記ファンへの電力の供給中に前記所定の時間より短く押下されると、前記ファンへの電力の供給量に応じた色彩で点灯すること、
を特徴とする請求項３に記載のファン付き衣服。
【考案の詳細な説明】
【技術分野】
【０００１】
本考案は、ファン付き衣服に関する。
【背景技術】
【０００２】
例えば、熱中症対策や快適な作業環境等を提供するためにファンを備え付けた衣服が知られている（例えば特許文献１参照）。かかる衣服は、ファンにより衣服内の空気を強制的に循環させたり入れ替えたりして、着用者の身体を冷却する。
【先行技術文献】
【特許文献】
【０００３】
【特許文献１】国際公開第０２／０６７７０８号
【考案の概要】
【考案が解決しようとする課題】
【０００４】
かかるファン付き衣服では、ファンはバッテリから供給される電力により作動するところ、ファンの開始／停止及び風量の調節は、バッテリに設けられたスイッチを介して行われる。バッテリが例えばポケットの中に配置されている場合には、ポケットに手を入れてスイッチを操作する必要があり、操作しにくいうえに手間である。
【０００５】
そこで、本考案は、簡便にファンの調節を行うことができるファン付き衣服の提供を目的とする。
【課題を解決するための手段】
【０００６】
上述した課題を解決すべく、本考案は、
所定の位置に取付孔を有する上衣と、
前記取付孔に着脱自在に装着され、前記上衣内に外気を送り込むファンと、
前記ファンに電力を供給するバッテリと、
前記上衣の胸部に取り付けられ、前記バッテリから前記ファンへの電力の供給量を調節するスイッチと、
を具備することを特徴とするファン付き衣服を提供する。
【０００７】
上記のような構成を有する本考案のファン付き衣服では、前記スイッチが所定の時間継続して押下されると、前記バッテリから前記ファンへの電力供給の開始及び停止が切り替わること、が好ましい。
【０００８】
また、上記のような構成を有する本考案のファン付き衣服では、前記バッテリから前記ファンへの電力の供給中に前記スイッチが前記所定の時間より短く押下されると、前記ファンへの電力の供給量が段階的に変化すること、が好ましい。
【０００９】
また、上記のような構成を有する本考案のファン付き衣服では、前記スイッチが、前記バッテリから前記ファンへの電力の供給中に前記所定の時間より短く押下されると、前記ファンへの電力の供給量に応じた色彩で点灯すること、が好ましい。
【考案の効果】
【００１０】
本考案のファン付き衣服を用いることにより、胸部のスイッチを操作するだけでファンを簡単に操作できる。
【図面の簡単な説明】
【００１１】
【図１】本考案の一実施形態に係るファン付き衣服１の外面構成を示す概略図である。
【図２】ファン付き衣服１の内面構成を示す概略図である。
【図３】スイッチ９の状態遷移を示す図である。
【考案を実施するための形態】
【００１２】
以下、本考案の代表的な実施形態に係るファン付き衣服について、図面を参照しつつ詳細に説明する。なお、図面は、本考案を概念的に説明するためのものであるから、理解容易のために、必要に応じて寸法、比又は数を誇張又は簡略化して表している場合もある。
【００１３】
本実施形態におけるファン付き衣服１（以下、単に衣服１という。）の構成について説明する。
衣服１は、例えば図１及び図２に示すように、上衣３、ファン５、バッテリ７及びスイッチ９を含んで構成されている。衣類１の種類としては、作業服、防災服、ジャンパー、ベストが挙げられるが、これに限られない。また、衣類１の用途としては、屋内外での作業、アウトドア、ゴルフなどのスポーツが挙げられるが、これに限られない。
【００１４】
図１（Ａ）に示すように、上衣３は、前身頃３１，３２及び後身頃３３を含み、また、袖を含んでいてもよい。前身頃３１，３２は、着用の容易性及びファン５等の装着の容易性の観点から、ファスナ３４によって開閉自在に連結されていることが好ましい。
【００１５】
図１（Ｂ）に示すように、後身頃３３の腰部には、ファン５の取付孔４０が設けられている。取付孔４０はファン５の個数に応じて設けられ、本実施形態では、２個のファン５１，５２に対応して２つの取付孔４１，４２が後身頃の下方に設けられているが、これに限られない。なお、取付孔４０は腰部以外の部位に設けられてもよいし、前身頃３１，３２に設けられてもよい。また、取付孔４０は、ファン５が取り付けられないときには、布地等で覆われてもよい。
【００１６】
ファン５は、外気を吸引して衣服１内に吹き出させる、例えば電動の軸流ファンである。ファン５は、例えば縁部で取付孔４０の縁を挟み込むことで、取付孔４０に固定される。ファン５が衣服１内に吹き出した空気により、衣服１内の空気が流れ、着用者の身体を冷却することになる。
【００１７】
バッテリ７は、ファン５に電力を供給する携帯型の電源であり、例えばリチウムイオン電池などの二次電池である。バッテリ７は、上衣３の内面側に設けられたポケット（図示せず）に収納されてもよい。バッテリ７は、スイッチ９からの信号に基づいて、ファン５への電力の供給量を変化させることができる。バッテリ７はまた、ユーザ操作に応じて、電気の残量を、例えば色彩の変化や点灯するランプの数の変化により表示することができる。
【００１８】
スイッチ９は、上衣３の胸部に取り付けられて、バッテリ７からファン５への電力の供給量を調節する。具体的には、スイッチ９は、所定の時間（例えば３秒間）継続して押下されると、バッテリ７からファン５への電力の供給の開始及び停止を切り替えるべく、バッテリ７に信号を出力する。
【００１９】
また、スイッチ９は、バッテリ７からファン５への電力の供給中に上述した所定の時間より短く押下されると、ファン５への電力の供給量（したがってファン５の風量）を段階的に（例えば３段階又は５段階に）変化させるべく、バッテリ７に信号を出力する。このとき、スイッチ９は、設定された風量に応じた色に点灯してもよい。例えば、図３に示す例では、スイッチ９は、発光ダイオード等の発光素子（図示せず）を含んでおり、強、中、弱の３段階の風量に対して赤、白、青に点灯するように設定されている。
【００２０】
上述した衣服１では、図３（Ａ）に示すように、スイッチ９が所定の時間以上長押しされると、バッテリ７からファン５への電力供給が開始する。また、図３（Ｃ）に示すように、スイッチ９がファン５への電力供給中に所定の時間以上長押しされると、バッテリ７からファン５への電力供給が停止する。したがって、スイッチ９への不意の接触に起因してバッテリ７からファン５への電力供給が開始したり停止したりすることを抑制することができる。
【００２１】
また、ファン５の風量を調節するためには、着用者は、図３（Ｂ）に示すように、ファン５への電力供給中にスイッチ９を短く（所定の時間未満の時間だけ）押下すればよい。スイッチ９を繰り返し押下することで、風量は、電力の供給量の変化に応じて、例えば強、中、弱、強、中、弱・・・のように繰り返し段階的に変化するので、着用者は、簡便に風量の調節を行うことができる。このとき、風量に応じてスイッチ９の点灯色が、例えば赤、白、青、赤、白、青・・・のように変化することで、着用者は、スイッチ９の色から現在の風量を容易に把握することができる。
【００２２】
以上、本考案の実施形態について図面を参照しつつ説明してきたが、本考案は、これらの実施形態に限定されるものではなく、実用新案登録請求の範囲の記載の精神及び教示を逸脱しない範囲でその他の改良例、変形が存在することを当業者に容易に理解される。
【００２３】
例えばスイッチ９は胸ポケットに入れる形で衣服１に取り付けられてもよい。また、スイッチ９に、赤、白、青以外の色を採用したり、点灯の強度を変化させて、強、中、弱の３段階の表示設定にしたりすることも可能である。
【００２４】
また、スイッチ９に付されたマークは自由に変更可能であり、本考案に係るファン付き衣服を使用する企業のロゴマーク等を入れることも可能である。更に、スイッチ９の形も四角以外の丸形や菱型等、自由に成型可能である。
【符号の説明】
【００２５】
１・・・ファン付き衣服、
３・・・上衣、
５，５１，５２・・・ファン、
７・・・バッテリ、
９・・・スイッチ。
【図１】
0003224438.tif 000003
【図２】
0003224438.tif 000004
【図３】
0003224438.tif 000005